【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  撮像手段で取得した像の倍率を変化させる信号処理装置であって、
像の倍率を増加させる際に撮像された撮像面の走査範囲に対して撮像信号を縮小変更する第１の信号処理を行う第１の信号処理手段と、
前記第１の信号処理と異なる第２の信号処理を行うことによって像の倍率を変化させる第２の信号処理手段と、
望遠側または広角側の選択を検知する第１の検知手段と、
前記第１の信号処理による像の倍率拡大の限界を検知する第２の検知手段と、
第１のモードと第２のモードとを選択可能な選択手段とを具備し、
前記選択手段により、
前記第１のモードが選択されたときは、前記第１の検知手段により望遠側が選択され続けたことを検知した場合には前記第１の信号処理を行うとともに該第１の信号処理による像の倍率拡大が限界に達したことが前記第２の検知手段により検知された場合に続けて前記第２の信号処理を行うことにより像の拡大をし、
前記第２のモードが選択されたときは、前記第１の信号処理による像の倍率拡大の限界に達したことが前記第２の検知手段により検知された後更に前記第１の検知手段により望遠側が選択され続けていることを検知しても前記第２の信号処理を禁止することを特徴とする信号処理装置。
【請求項２】  前記第１の信号処理手段は、前記像の空間周波数帯域制限を行う空間ローパスフィルタ手段を更に具備することを特徴とする請求項１に記載の信号処理装置。
【請求項３】  前記空間ローパスフィルタ手段は、前記縮小処理手段の変倍率に応じて前記空間周波数帯域制限の周波数特性を変更することを特徴とする請求項２に記載の信号処理装置。
【請求項４】  前記第２の信号処理手段は、前記像の輪郭を強調するための輪郭強調手段を更に具備することを特徴とする請求項１に記載の信号処理装置。
【請求項５】  前記輪郭強調手段は、前記第２の信号処理手段の変倍率に応じて前記輪郭の強調の度合いを変更することを特徴とする請求項４に記載の信号処理装置。
【請求項６】  前記第１のモード、第２のモードは、撮像手段で取得した像の変倍率が等倍の場合は前記第１の信号処理および前記第２の信号処理を行わないことを特徴とする請求項５に記載の信号処理装置。
【請求項７】  前記第２の信号処理によって、前記像の信号が拡大することを特徴とする請求項１から請求項６のいずれか１項に記載の信号処理装置。
【請求項８】  前記像の信号を記憶する信号記憶手段を有し、請求項１から請求項７のいずれか１項に記載の信号処理装置により処理された像の信号を前記信号記憶手段に記憶することを特徴とする信号記憶装置。
【請求項９】  請求項１から請求項７のいずれか１項に記載の信号処理装置と、前記撮像手段の受光面に結像する被写体像の画角を変更する光学変倍手段とを更に具備し、
前記第１の信号処理の際に前記光学変倍手段による変倍を行うことを特徴とする画像記録装置。
【請求項１０】  撮像素子で撮影した撮像データを基に画像データを生成する画像データ生成装置であって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御手段と、
前記第２の記録モードにおいて、前記第２の画像形式の画像データを生成する際に電子的な変倍処理を行う電子変倍手段と、
前記電子変倍手段における最大変倍率を設定する最大変倍率設定手段と
前記最大変倍率設定手段により設定された前記最大変倍率を最大値として変倍率の変化を表示する変倍率変化表示手段を具備し、
前記最大変倍率設定手段は、複数種類の最大変倍率候補から利用者が選択した最大変倍率候補を前記最大変倍率として設定するとともに、前記変倍率変化表示手段は、前記最大変倍率より変倍率の低い最大変倍率候補の値を境界線として表示することを特徴とする画像データ生成装置。
【請求項１１】  撮像手段で取得した像の倍率を変化させる信号処理方法であって、
像の倍率を増加させる際に撮像された撮像面の走査範囲に対して撮像信号を縮小変更する第１の信号処理を行う第１の信号処理ステップと、
前記第１の信号処理ステップと異なる第２の信号処理を行うことによって像の倍率を変化させる第２の信号処理ステップと、
望遠側または広角側の選択を検知する第１の検知ステップと、
前記第１の信号処理ステップによる像の倍率拡大の限界を検知する第２の検知ステップと、
第１のモードと第２のモードとを選択可能な選択ステップとを有し、
前記選択ステップにおいて、
前記第１のモードが選択されたときは、前記第１の検知ステップにおいて望遠側が選択され続けたことを検知した場合には前記第１の信号処理を行うとともに該第１の信号処理による像の倍率拡大が限界に達したことが前記第２の検知ステップにおいて検知された場合に続けて前記第２の信号処理を行うことにより像の拡大をし、
前記第２のモードが選択されたときは、前記第１の信号処理による像の倍率拡大の限界に達したことが前記第２の検知ステップにより検知された後更に前記第１の検知ステップにおいて広角側から望遠側が選択され続けていることを検知しても前記第２の信号処理を禁止することを特徴とする信号処理方法。
【請求項１２】  撮像素子で撮影した撮像データを基に画像データを生成する画像データ生成方法であって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御ステップと、
前記第２の記録モードにおいて、前記第２の画像形式の画像データを生成する際に電子的な変倍処理を行う電子変倍ステップと、
前記電子変倍ステップにおける最大変倍率を設定する最大変倍率設定ステップと
前記最大変倍率設定ステップにおいて設定された前記最大変倍率を最大値として変倍率の変化を表示する変倍率変化表示ステップとを有し、
前記最大変倍率設定ステップでは、複数種類の最大変倍率候補から利用者が選択した最大変倍率候補を前記最大変倍率として設定するとともに、前記変倍率変化表示ステップにおいて、前記最大変倍率より変倍率の低い最大変倍率候補の値を境界線として表示することを特徴とする画像データ生成方法。
【請求項１３】  撮像手段で取得した像の倍率を変化させる信号処理装置用のプログラムであって、
像の倍率を増加させる際に撮像された撮像面の走査範囲に対して撮像信号を縮小変更する第１の信号処理を行う第１の信号処理ステップと、
前記第１の信号処理ステップと異なる第２の信号処理を行うことによって像の倍率を変化させる第２の信号処理ステップと、
望遠側または広角側の選択を検知する第１の検知ステップと、
前記第１の信号処理ステップによる像の倍率拡大の限界を検知する第２の検知ステップと、
第１のモードと第２のモードとを選択可能な選択ステップとを有し、
前記選択ステップにおいて、
前記第１のモードが選択されたときは、前記第１の検知ステップにおいて望遠側が選択され続けたことを検知した場合には前記第１の信号処理を行うとともに該第１の信号処理による像の倍率拡大が限界に達したことが前記第２の検知ステップにおいて検知された場合に続けて前記第２の信号処理を行うことにより像の拡大をし、
前記第２のモードが選択されたときは、前記第１の信号処理による像の倍率拡大の限界に達したことが前記第２の検知ステップにより検知された後更に前記第１の検知ステップにおいて広角側から望遠側が選択され続けていることを検知しても前記第２の信号処理を禁止することを前記信号処理装置に実行させることを特徴とするプログラム。
【請求項１４】  撮像素子で撮影した撮像データを基に画像データを生成する画像データ生成装置用のプログラムであって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御ステップと、
前記第２の記録モードにおいて、前記第２の画像形式の画像データを生成する際に電子的な変倍処理を行う電子変倍ステップと、
前記電子変倍ステップにおける最大変倍率を設定する最大変倍率設定ステップと
前記最大変倍率設定ステップにおいて設定された前記最大変倍率を最大値として変倍率の変化を表示する変倍率変化表示ステップを有し、
前記最大変倍率設定ステップでは、複数種類の最大変倍率候補から利用者が選択した最大変倍率候補を前記最大変倍率として設定するとともに、前記変倍率変化表示ステップにおいて、前記最大変倍率より変倍率の低い最大変倍率候補の値を境界線として表示することを前記画像データ生成装置に実行させることを特徴とするプログラム。
【手続補正２】
【補正対象書類名】明細書
【補正対象項目名】０１０４
【補正方法】削除
【補正の内容】
【手続補正３】
【補正対象書類名】明細書
【補正対象項目名】０１０５
【補正方法】削除
【補正の内容】
【手続補正４】
【補正対象書類名】明細書
【補正対象項目名】０１０６
【補正方法】削除
【補正の内容】
【手続補正５】
【補正対象書類名】明細書
【補正対象項目名】０１０７
【補正方法】削除
【補正の内容】
【手続補正６】
【補正対象書類名】明細書
【補正対象項目名】０１０８
【補正方法】削除
【補正の内容】
【手続補正７】
【補正対象書類名】明細書
【補正対象項目名】０１０９
【補正方法】削除
【補正の内容】
【手続補正８】
【補正対象書類名】明細書
【補正対象項目名】０１１０
【補正方法】削除
【補正の内容】
【手続補正９】
【補正対象書類名】明細書
【補正対象項目名】０１１１
【補正方法】削除
【補正の内容】
【手続補正１０】
【補正対象書類名】明細書
【補正対象項目名】０１１２
【補正方法】削除
【補正の内容】
【手続補正１１】
【補正対象書類名】明細書
【補正対象項目名】０１１３
【補正方法】削除
【補正の内容】
【手続補正１２】
【補正対象書類名】明細書
【補正対象項目名】０１１４
【補正方法】削除
【補正の内容】
【手続補正１３】
【補正対象書類名】明細書
【補正対象項目名】０１１５
【補正方法】削除
【補正の内容】
【手続補正１４】
【補正対象書類名】明細書
【補正対象項目名】０１１６
【補正方法】削除
【補正の内容】
【手続補正１５】
【補正対象書類名】明細書
【補正対象項目名】０１１７
【補正方法】変更
【補正の内容】
【０１１７】
以上説明したように、本実施形態の信号処理装置においては、第１のモードが選択されたときは、第１の検知手段により望遠側が選択され続けたことを検知した場合には第１の信号処理を行うとともに該第１の信号処理による像の倍率拡大が限界に達したことが第２の検知手段により検知された場合に続けて第２の信号処理を行うことにより像の拡大を行い、第２のモードが選択されたときは、第１の信号処理による像の倍率拡大の限界に達したことが第２の検知手段により検知された後更に第１の検知手段により望遠側が選択され続けていることを検知しても第２の信号処理を禁止するので、利用者はモードを選択することで像のズーム率を調整することができ、電子ズーム処理による画質劣化が少ないズームモードを利用者が選択できる。
【手続補正１６】
【補正対象書類名】明細書
【補正対象項目名】０１１８
【補正方法】変更
【補正の内容】
【０１１８】
また、本実施形態の画像データ生成装置においては、複数種類の最大変倍率候補から利用者が選択した最大変倍率候補を最大変倍率として設定するとともに、変倍率変化表示手段は、最大変倍率より変倍率の低い最大変倍率候補の値を境界線として表示するので、利用者は所望の像の最大ズーム率を選択することができる。すなわち、電子ズーム処理による画質劣化が少ないズームモードを利用者が選択できる。また、最大変倍率候補の値を境界線として表示することで、電子ズーム処理の状態や影響を利用者は簡便に把握することができ、利用者は、電子ズーム処理による画質劣化が少ないズームモードの選択をより適格なものにすることができる。
【手続補正１７】
【補正対象書類名】明細書
【補正対象項目名】０１１９
【補正方法】変更
【補正の内容】
【０１１９】
【発明の効果】
本発明によれば、電子ズーム処理による画質劣化が少ないズームモードを利用者が選択できる信号処理装置および画像データ生成装置を提供することができる。
【手続補正１８】
【補正対象書類名】明細書
【補正対象項目名】０１２０
【補正方法】削除
【補正の内容】